(57)【特許請求の範囲】
【請求項１】
静電潜像が形成される像担持体と、前記静電潜像をトナーで現像して可視化する現像手段と、前記像担持体上のトナーを記録紙に転写する転写手段と、前記像担持体に光を照射して残留電荷を除電する除電手段と、前記像担持体に残留したトナーを除去するクリーニング手段と、を備える画像形成装置であって、
前記除電手段と前記像担持体との間に配置されて前記記録紙を前記像担持体から剥離する剥離爪と、
前記除電手段と前記像担持体との間の、該除電手段の除電光の光路となる空間で前記剥離爪を支持する支持部材と、
前記除電手段の光が前記支持部材や前記剥離爪に遮られて生じる前記像担持体の遮光領域に光を照射する補助除電手段と、を備えることを特徴とする画像形成装置。
【請求項２】
前記剥離爪は前記クリーニング手段に着脱可能な支持部材を有し、該支持部材に前記補助除電手段が一体に設けられていることを特徴とする請求項１に記載の画像形成装置。
【請求項３】
前記除電手段は、複数の発光体が電気的に直列に接続され、
前記補助除電手段は、前記除電手段の発光体と同一の発光体を有し、前記補助除電手段の発光体は、前記除電手段よりも前記像担持体に近い位置に配置されるとともに、前記除電手段の発光体と電気的に並列に接続されていることを特徴とする請求項１又は２に記載の画像形成装置。
【発明の詳細な説明】
【技術分野】
【０００１】
本発明は、感光体ドラムの表面に残留した電荷を除電する除電装置及びトナー転写後の記録紙を感光体ドラムから剥離する剥離爪を備えた画像形成装置に関する。
【背景技術】
【０００２】
一般的な画像形成方法では、感光体ドラムは帯電装置で表面が所定の電位に帯電され、露光によって画像データに応じた静電潜像が形成される。静電潜像は現像装置によりトナーで現像された後、転写装置で記録紙に転写される。感光体ドラムの表面に残留したトナーはクリーニング装置によって除去され、感光体ドラムに残留した電荷は除電装置によって除電される。感光体ドラムにおいては、画像形成時にこのような帯電、露光、除電のサイクルが繰り返し行われる。
【０００３】
転写装置では、記録紙のトナーが転写された面の反対側の面にトナーと逆の極性の電圧が印加され、トナーが感光体ドラムから記録紙に転写される。この際に記録紙が帯電すると、感光体ドラムに静電吸着されたままとなり、ジャム（紙詰まり）が発生しやすくなる。ジャムは、薄い記録紙を大量に使用する場合や帯電しやすい記録紙を使用する場合に特に発生しやすい。このため、特許文献１には、感光体ドラムの回転方向に対してカウンター方向から当接し、記録紙の先端を感光体ドラムから強制的に剥離する剥離爪を設けた画像形成装置が提案されている。
【０００４】
さらに、剥離爪の記録紙の搬送方向における下流に、搬送補助部材が備えられている場合もある。搬送補助部材は、記録紙を剥離爪で剥離した後で、記録紙が浮き上がって未定着のトナーが記録紙の搬送経路の周囲の部品等に接触しないように記録紙をガイドするものである。
【先行技術文献】
【特許文献】
【０００５】
【特許文献１】特開２００８−１７６２４６号公報
【発明の概要】
【発明が解決しようとする課題】
【０００６】
しかしながら、上記特許文献１に記載されている剥離爪や搬送補助部材の取り付けは、大幅なコストアップを伴うので、剥離爪と搬送補助部材とを使用環境に応じて着脱可能とすることが望まれている。
【０００７】
一方で、省スペース化に伴う感光体ドラムの小径化と画像形成装置の高速化が進むと、感光体ドラムが除電されてから次のサイクルで帯電されるまでの時間が短くなるため、感光体ドラムの露光メモリを考慮する必要が生じてくる。露光メモリとは、除電後の感光体ドラムの表面電位が露光部と非露光部とで異なり、次のサイクルの帯電時に、感光体ドラムの表面が均一に帯電されない現象である。露光メモリの問題はアモルファスシリコン感光体で特に懸念されている。
【０００８】
この対策として、除電装置と帯電装置との間隔をできるだけ開けて、次のサイクルの帯電までに感光体ドラムの表面電位を十分に減衰させる時間を確保することが必要になる。そのために、除電装置は、感光体ドラムの回転方向においてクリーニング装置の上流に配置することが好ましい。
【０００９】
したがって、剥離爪及び搬送補助部材と除電装置とが、転写装置とクリーニング装置との間に配置されることになる。感光体ドラムが小径化されると、転写装置とクリーニング装置との間の空間はより狭くなり、この狭い空間に、剥離爪及び搬送補助部材、除電装置を配置する必要がある。
【００１０】
この対策として、除電光の光路である除電装置と感光体ドラムとの間の空間を利用して剥離爪と搬送補助部材とを配置することも考えられるが、剥離爪や搬送補助部材、又は剥離爪や搬送補助部材を支持する部材が除電光を遮るので、感光体ドラムに除電光の遮光領域が形成されてしまう。
【００１１】
そこで、本発明は上記事情を考慮し、除電光の光路に剥離爪や搬送補助部材を取り付けることができるとともに、剥離爪が取り付けられた状態でも感光体ドラムの全域に除電光を照射することのできる画像形成装置を提供することを目的とする。
【課題を解決するための手段】
【００１２】
上記した目的を達成するために、本発明の画像形成装置は、静電潜像が形成される像担持体と、前記静電潜像をトナーで現像して可視化する現像手段と、前記像担持体上のトナーを記録紙に転写する転写手段と、前記像担持体に光を照射して残留電荷を除電する除電手段と、前記像担持体に残留したトナーを除去するクリーニング手段と、を備える画像形成装置であって、前記除電手段と前記像担持体との間に配置されて前記記録紙を前記像担持体から剥離する剥離爪と、前記除電手段の光が前記剥離爪に遮られて生じる前記像担持体の遮光領域に光を照射する補助除電手段と、を備えることを特徴とする。
【００１３】
このような構成を採用することにより、剥離爪を除電装置と像担持体との間に配置しても、像担持体の表面全域に除電光を照射することができる。したがって、像担持体の小径化に伴う省スペース化が可能となる。
【００１４】
本発明の画像形成装置において、前記剥離爪は前記クリーニング手段に着脱可能な支持部材を有し、該支持部材に前記補助除電手段が一体に設けられていることを特徴としてもよい。
【００１５】
このような構成を採用することにより、剥離爪と補助除電装置とをジャムの発生状況に合わせて着脱できるとともに、着脱を一度の操作で行うことができる。
【００１６】
本発明の画像形成装置において、前記除電手段は、複数の発光体が電気的に直列に接続され、前記補助除電手段は、前記除電手段の発光体と同一の発光体を有し、前記補助除電手段の発光体は、前記除電手段よりも前記像担持体に近い位置に配置されるとともに、前記除電手段の発光体と電気的に並列に接続されていることを特徴としてもよい。
【００１７】
このような構成を採用することにより、補助除電装置から適宜な量の光量を照射できる。また、補助除電装置の電源を別途設ける必要がなく、補助除電装置の取り付けや配線を簡易化できる。
【発明の効果】
【００１８】
本発明によれば、剥離爪を除電装置と像担持体との間の除電光の光路に配置しても、像担持体の表面全域に除電光を照射することができる。したがって、像担持体の小径化に伴う省スペース化が可能となる。
【図面の簡単な説明】
【００１９】
【図１】本発明の一実施形態に係るプリンターの構成の概略を示す模式図である。
【図２】本発明の一実施形態に係るプリンターの除電装置及びその周辺部を示す図であり、図２（Ａ）は側面図、図２（Ｂ）は平面図である。
【図３】本発明の一実施形態に係るプリンターの補助除電装置の配線を説明する図であり、図３（Ａ）は除電装置の配線図、図３（Ｂ）は補助除電装置を電気的に接続した配線図である。
【図４】本発明の一実施形態に係るプリンターの補助除電装置と除電装置との接続部を説明する斜視図である。
【図５】本発明の一実施形態に係るプリンターの除電装置及び補助除電装置の作用を説明する平面図である。
【図６】本発明の他の実施形態に係るプリンターの補助除電装置の配線を説明する図である。
【発明を実施するための形態】
【００２０】
以下、図面を参照しつつ、本発明の実施形態に係る画像形成装置について説明する。
【００２１】
まず、図１を用いて、画像形成装置としての電子写真方式のプリンター１の全体の主な構成について説明する。図１は、本発明の一実施形態に係るプリンターの概略を示す模式図である。なお、以下の説明では、図１における左側をプリンター１の正面側（前側）とし、正面から見て、前後方向に直交する方向を左右方向とする。
【００２２】
図１に示すように、プリンター１は、箱型形状のプリンター本体２を備えており、プリンター本体２の下部には記録紙（図示せず）を収納する給紙カセット３が収容され、プリンター本体２の上面には排紙トレイ４が設けられている。プリンター本体２の上面には、排紙トレイ４の前方に上カバー５が開閉可能に取り付けられ、上カバー５の下方には、トナーを収容するトナー容器としてのトナーコンテナ６が収納されている。
【００２３】
プリンター本体２の上部には、排紙トレイ４の下方にレーザー・スキャニング・ユニット（ＬＳＵ）で構成される露光装置７が配置され、露光装置７の下方には、画像形成部８が設けられている。画像形成部８には、像担持体である感光体ドラム１０が回転可能に設けられている。感光体ドラム１０として、アモルファスシリコンドラムを使用できる。感光体ドラム１０の径は３０ｍｍ、通常印字時の周速は４０６ｍｍ／ｓｅｃである。感光体ドラム１０の周囲には、帯電装置１１と、装着部材としての現像装置１２と、転写ローラー１３と、除電装置１４と、クリーニング装置１５とが、感光体ドラム１０の回転方向（図１の矢印Ｘ参照）に沿って順に配置されている。除電装置１４及びその周辺部の構成については後述する。
【００２４】
プリンター本体２の内部には、記録紙の搬送経路１６が設けられている。搬送経路１６の上流端には給紙部１７が設けられ、搬送経路１６の中流部には、感光体ドラム１０と転写ローラー１３によって構成される転写部１８が設けられている。搬送経路１６の下流部には定着装置１９が設けられ、搬送経路１６の下流端には排紙部２０が設けられている。搬送経路１６の下方には、両面印刷用の反転経路２１が形成されている。
【００２５】
次に、このような構成を備えたプリンター１の画像形成動作について、図１を参照して説明する。
【００２６】
プリンター１に電源が投入されると、各種パラメーターが初期化され、定着装置１９の温度設定等の初期設定が実行される。そして、プリンター１に接続されたコンピューター等から画像データが入力され、印刷開始の指示がなされると、以下のようにして画像形成動作が実行される。
【００２７】
まず、帯電装置１１によって感光体ドラム１０の表面が帯電された後、露光装置７からのレーザー光（図１の二点鎖線ｐ参照）により感光体ドラム１０に対して画像データに対応した露光が行われ、感光体ドラム１０の表面に静電潜像が形成される。この静電潜像は、現像装置１２によりトナー像に現像される。
【００２８】
一方、給紙部１７によって給紙カセット３から取り出された記録紙は、上記した画像形成動作とタイミングを合わせて転写部１８へと搬送され、転写部１８において感光体ドラム１０上のトナー像が記録紙に転写される。トナー像を転写された記録紙は、搬送経路１６を下流側へ搬送されて定着装置１９に進入し、この定着装置１９において記録紙にトナー像が定着される。トナー像が定着された記録紙は、排紙部２０から排紙トレイ４に排出される。なお、感光体ドラム１０上に残留した電位は、除電装置１４によって除電される。また、感光体ドラム１０上に残留したトナーは、クリーニング装置１５によって回収される。
【００２９】
次に、図２を参照して、除電装置１４及びその周辺部について説明する。図２は、除電装置周辺を示す図であり、図２（Ａ）は側面図、図２（Ｂ）は平面図である。
【００３０】
除電装置１４は、長尺状の基板４１上に、光源として複数のＬＥＤ（発光ダイオード）チップ４２を軸方向に一列に配列したものである。基板４１の長さは、感光体ドラム１０の軸方向長さとほぼ同じである。ＬＥＤチップ４２の波長は６５０ｎｍ、除電光量は４．０μＪ／ｃｍ２である。
【００３１】
除電装置１４は、クリーニング装置１５の下面に形成された爪部１５ａに支持されている。各ＬＥＤチップ４２は、発光面の中心軸が感光体ドラム１０の表面に対してほぼ垂直となるように、やや上向きに傾斜した姿勢で支持されて、感光体ドラム１０の表面の左右方向の全領域に除電光を照射する。
【００３２】
除電装置１４と感光体ドラム１０との間の、除電装置１４の除電光の光路となる空間には、剥離爪３１及び搬送補助部材３５と、補助除電装置５０とが、支持部材６０に支持されて配置されている。
【００３３】
剥離爪３１は、断面形状が方形の棒状の部材である。剥離爪３１の先端部３１ａは、側面視及び平面視にて先細りの爪状に形成されている。剥離爪３１の基端側の左右側面には、それぞれ左右方向に延びる回転軸３１ｂが形成されている。
【００３４】
搬送補助部材３５は、円板状の部材であり、円板部３５ａと、円板部３５ａの中心から左右方向に延びる回転軸３５ｂと、を有する。円板部３５ａの外周面には、尖鋭な頂点を有する複数の凸部３５ｃが、放射状に形成されている。
【００３５】
補助除電装置５０は、感光体ドラム１０の表面の所定の領域に除電光を照射する光源であり、ＬＥＤチップ（以降、補助除電用ＬＥＤチップ５１という）を使用することができる。補助除電用ＬＥＤチップ５１としては、除電装置１４の光源として使用されるＬＥＤチップ４２と同一のものを使用できる。
【００３６】
支持部材６０は、前後方向に長い直方体状の形状を有し、前後方向における長さは、除電装置１４と感光体ドラム１０との間隔よりも短く、左右方向における幅は、補助除電用ＬＥＤチップ５１の幅よりもやや広い。支持部材６０の材料としては、汎用性のある樹脂を使用でき、特に光透過性の高い材料を使用する必要はない。
【００３７】
支持部材６０の上面には、フック状の突部６０ａが形成されている。突部６０ａは、クリーニング装置１５の下面に形成された凹部１５ｂに取り外し可能に係合している。凹部１５ｂは、除電装置１４のＬＥＤチップ４２の前方に形成されている。
【００３８】
支持部材６０の下面には、剥離爪３１と搬送補助部材３５とが支持されている。剥離爪３１は、支持部材６０の下面の前寄りの位置に、回転軸３１ｂを中心に揺動可能となっている。剥離爪３１は、先端部３１ａが、感光体ドラム１０の回転方向に対してカウンター方向から感光体ドラム１０の表面に当接する姿勢となるように、ねじりコイルばね（図示せず）によって付勢されている。ねじりコイルばねの付勢力は、剥離爪３１の先端部３１ａが感光体ドラム１０の表面を傷付けない程度のごく小さい力に設定されている。
【００３９】
搬送補助部材３５は、支持部材６０の下面の後ろ寄りの位置に、回転軸３５ｂを中心に回転可能となっている。搬送補助部材３５の円板部３５ａの回転軸３５ｂから下方の部分は、支持部材６０から下方に突き出ている。
【００４０】
支持部材６０の長さ方向の中央付近には、補助除電用ＬＥＤチップ５１が支持されている。支持部材６０の幅方向における中央には、前面と上面とに開口した切欠き部６０ｂが形成されている。図２（Ｂ）に示されるように、切欠き部６０ｂの左右側面は、奥側から前方に向かって各々左右外方向に拡がっている。補助除電用ＬＥＤチップ５１は、発光面の中心軸が感光体ドラム１０の表面に対してほぼ垂直となるように切欠き部６０ｂの奥側に支持されて、感光体ドラム１０の表面の所定の領域に除電光を照射する。
【００４１】
図３を参照して、補助除電用ＬＥＤチップ５１の配線について説明する。図３（Ａ）は除電装置のＬＥＤチップの配線を示す図、図３（Ｂ）は補助除電用ＬＥＤチップを除電装置のＬＥＤチップの配線に接続した状態を示す図である。
【００４２】
図３（Ａ）に示されるように、除電装置１４の複数のＬＥＤチップ４２は電気的に直列に接続されて、定電流制御で駆動される。電源の陽極は、電流制限抵抗Ｒを介して、直列接続されたＬＥＤチップ４２の一方の端部に接続され、陰極は、もう一方の端部に接続されている。電流量Ｉが供給されると、全てのＬＥＤチップ４２には一定の電流量Ｉが供給される。
【００４３】
図３（Ｂ）に示されるように、補助除電用ＬＥＤチップ５１は、除電装置１４の直列接続されたＬＥＤチップ４２の内の一つのＬＥＤチップ４２Ａに、電気的に並列に接続されている。このように並列接続すると、全電流量Ｉは２つのＬＥＤチップ５１、４２Ａに１／２ずつ分配され、補助除電用ＬＥＤチップ５１にはＩ×１／２の電流量が供給され、並列接続されたＬＥＤチップ４２ＡにはＩ×１／２の電流量が供給される。したがって、補助除電用ＬＥＤチップ５１の駆動電流量は、並列接続されていないＬＥＤチップ４２の駆動電流量よりも少なくなるので、補助除電用ＬＥＤチップ５１の光量は、並列接続されていないＬＥＤチップ４２の光量よりも少なくなる。
【００４４】
図４を参照して、補助除電用ＬＥＤチップ５１の接続部を説明する。図４は、補助除電用ＬＥＤチップと除電装置のＬＥＤチップとの接続部を模式的に示す斜視図である。
補助除電用ＬＥＤチップ５１から延びる２本のリード線Ｌ１は、除電装置１４の基板４１まで延びている。２本のリード線Ｌ１の端部は被覆が剥がされて、導線Ｗ１が露出している。露出している導線の端部Ｗ１は、上向きに開口したコの字状に折り曲げられている。一方、補助除電用ＬＥＤチップ５１が並列接続されるＬＥＤチップ４２Ａでは、ＬＥＤチップ４２Ａから延びる２本のリード線Ｌ２の一部が露出して導電部Ｗ２となっている。
【００４５】
補助除電用ＬＥＤチップ５１の２本のリード線Ｌ１のコの字状端部Ｗ１は、上向きコの字の底辺に相当する部分が、ＬＥＤチップ４２Ａの２本のリード線Ｌ２の露出した導電部Ｗ２とほぼ直交するように重ねられて、導通部材Ｃによって固定されている。これにより、補助除電用ＬＥＤチップ５１の２本のリード線Ｌ１が、ＬＥＤチップ４２Ａの２本のリード線Ｌ２に導通し、補助除電用ＬＥＤチップ５１が除電装置１４のＬＥＤチップ４２Ａに並列に接続される。
【００４６】
次に、図５を参照して、上記構成を備えた除電装置の作用を説明する。図５は、除電装置の周辺部を示す平面図である。
薄い記録紙を大量に使用する場合や、帯電しやすい記録紙を使用する場合、あるいは、記録紙が感光体ドラムに静電吸着して紙詰まりが頻繁に発生する場合などに、１個あるいは複数個の支持部材６０を、剥離爪３１が感光体ドラム１０に向く姿勢で、クリーニング装置１５に取り付ける。同時に、補助除電用ＬＥＤチップ５１を、除電装置１４の所定のＬＥＤチップ４２に並列接続させる。
【００４７】
トナーが転写された記録紙は、まず、先端が剥離爪３１で感光体ドラム１０の表面から剥がされた後、搬送補助部材３５が記録紙に接触する。搬送補助部材３５は、記録紙の搬送に従って回転軸３５ｂを中心に回転しながら、凸部３５ｃの尖鋭な頂点で記録紙を浮き上がらないように押さえる。この際、凸部３５ｃの尖鋭な頂点が記録紙に点で接触するので、記録紙上の未定着トナーを乱すことはない。
【００４８】
除電装置１４では、ＬＥＤチップ４２から発せられた光Ｂ１が感光体ドラム１０の表面に照射されて、感光体ドラム１０に残留している電位が除電される。ただし、補助除電用ＬＥＤチップ５１が並列接続されたＬＥＤチップ４２Ａから発せられた光Ｂ２は、支持部材６０や剥離爪３１及び搬送補助部材３５で遮られるので、感光体ドラム１０の表面に遮光領域が生じる。この遮光領域には、支持部材６０に支持されている補助除電用ＬＥＤチップ５１から発せられた光Ｂ３が照射されるので、感光体ドラム１０の左右方向の全域に除電光が照射される。
【００４９】
上記したように本発明の一実施形態に係るプリンター１においては、感光体ドラム１０の表面に除電光の遮光領域を形成させないようにしつつ、従来除電光の光路として確保されていた除電装置１４と感光体ドラム１０との間の空間に、必要に応じて剥離爪３１と搬送補助部材３５とを支持するようにした。このため、従来のプリンターにおいて剥離爪３１と搬送補助部材３５とを支持する部材を配置していた空間を省くことができる。したがって、薄い記録紙や帯電しやすい記録紙を使用してもジャムを起こりにくくしつつ、省スペース化が可能となる。
【００５０】
補助除電用ＬＥＤチップ５１は、除電装置１４のＬＥＤチップ４２よりも感光体ドラム１０に近い位置に配置されているので、補助除電用ＬＥＤチップ５１と除電装置１４のＬＥＤチップ４２とが同一の光量を有していれば、補助除電用ＬＥＤチップ５１の光量は過多となる。しかし、補助除電用ＬＥＤチップ５１は、並列接続によって駆動電流量が減少しているので、補助除電用ＬＥＤチップ５１から照射される除電光の光量は、除電装置１４のＬＥＤチップ４２の光量よりも少なくなっている。したがって、補助除電用ＬＥＤチップ５１から除電光が照射される領域と、除電装置１４のＬＥＤチップ４２から除電光が照射される領域とに、ほぼ均等な光量の除電光を照射できる。
【００５１】
さらに、補助除電用ＬＥＤチップ５１を除電装置１４のＬＥＤチップ４２Ａに並列接続しているので、補助除電用ＬＥＤチップ５１の電源等を別途設ける必要がなく、補助除電用ＬＥＤチップ５１の取り付けや配線を簡易化できる。
【００５２】
また、剥離爪３１及び搬送補助部材３５と補助除電用ＬＥＤチップ５１とは、クリーニング装置１５に着脱可能な支持部材６０に支持されているので、一度の操作で剥離爪３１及び搬送補助部材３５と補助除電用ＬＥＤチップ５１とを同時に着脱できる。
【００５３】
図６を参照して、本発明の他の実施形態に係る補助除電用ＬＥＤチップの配線を説明する。
この例では、補助除電用ＬＥＤチップ５１が、直列に接続された３個の除電装置１４のＬＥＤチップ４２Ａと並列に接続されている。電流量ＩはそれぞれのＬＥＤチップの抵抗の大きさに分配されるため、補助除電用ＬＥＤチップ５１にはＩ×３／４の電流量、３個のＬＥＤチップ４２ＡにはＩ×１／４の電流量が供給される。このように、上記した実施形態に係る除電装置に比べて、補助除電用ＬＥＤチップ５１の光量は多くなる。
【００５４】
補助除電用ＬＥＤチップ５１の光量が不足する場合は、除電装置１４の複数個のＬＥＤチップ４２と並列接続させることにより、補助除電用ＬＥＤチップ５１の光量を多くすることができる。
【００５５】
本実施形態では、剥離爪３１及び搬送補助部材３５と、補助除電用ＬＥＤチップ５１とが、支持部材６０に支持されている例を説明したが、剥離爪３１及び搬送補助部材３５、補助除電用ＬＥＤチップ５１は、各々単独でクリーニング装置１５に着脱可能に支持されるようにしてもよい。また、剥離爪３１及び搬送補助部材３５、補助除電用ＬＥＤチップ５１は、クリーニング装置１５に固定されていてもよい。さらに、支持部材６０とクリーニング装置１５との係合方法として、両面テープを使用する方法等を適用することもできる。
【００５６】
本実施形態では、補助除電用ＬＥＤチップ５１を除電装置１４のＬＥＤチップ４２と並列に接続させて駆動したが、補助除電用ＬＥＤチップ５１は単独で駆動されるようにしてもよい。この場合、補助除電用ＬＥＤチップ５１として、除電装置１４のＬＥＤチップ４２の光量よりも小さい光量のＬＥＤチップを使用する。また、補助除電装置としてＬＥＤチップ以外の光源を使用してもよい。
【００５７】
本実施形態では、補助除電用ＬＥＤチップ５１を除電装置１４のＬＥＤチップ４２の前方に配置したが、補助除電用ＬＥＤチップ５１の位置はこの位置に限定されない。補助除電用ＬＥＤチップ５１の位置は、除電装置１４のＬＥＤチップ４２から発せられる光が支持部材６０や剥離爪３１及び搬送補助部材３５で遮られる感光体ドラム１０の表面の遮光領域に光が照射できる位置であればよい。
【００５８】
本実施形態では、除電装置１４が複数のＬＥＤチップ４２を配列したものの場合について説明したが、ライトガイド等を使用した光源を使用してもよい。
【００５９】
本実施例では、補助除電用ＬＥＤチップ５１のリード線を除電装置１４のＬＥＤチップ４２のリード線に導電部材を用いて導通させたが、半田付け等の方法を用いてもよい。
【００６０】
本実施形態では、剥離爪３１と搬送補助部材３５の両方が備えられているプリンターを説明したが、搬送補助部材３５は必ずしも必要ではない。
【００６１】
さらに、本発明の実施形態では、プリンター１に本発明の構成を適用した場合について説明したが、他の異なる実施形態では、複写機、ファクシミリ、複合機等のプリンター１以外の画像形成装置に本発明の構成を適用しても良い。
【００６２】
さらに、上記した本発明の実施形態の説明は、本発明に係る除電装置、剥離爪及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６３】
１  プリンター
１０  感光体ドラム（像担持体）
１２  現像装置（現像手段）
１３  転写ローラー（転写手段）
１４  除電装置（除電手段）
１５  クリーニング装置（クリーニング手段）
３１  剥離爪
４２  ＬＥＤチップ（発光体）
５０  補助除電装置（補助除電手段）
５１  補助除電用ＬＥＤチップ（発光体）
６０  支持部材
【図１】
0005948289.tif 000002
【図２】
0005948289.tif 000003
【図３】
0005948289.tif 000004
【図４】
0005948289.tif 000005
【図５】
0005948289.tif 000006
【図６】
0005948289.tif 000007